(57)【要約】【目的】中に土砂を入れ込んだ状態で、確実に積み上げることができる土嚢用箱を提供することである。【構成】この発明に係わる土嚢用箱は、略直方体状に布状体から構成され、内部に土砂を収容可能な本体１２と、この本体１２の上面に該当する面に、一側縁１４ａで一体的に連結され、これを略全面に渡り開放可能に設けられ、開放状態で土砂が内部に収容されると共に閉塞状態で土砂を内部に密閉するための上面片１４と、この上面片１４を本体１２に対して開放可能に取り付けるファスナー１６と、本体１２の下面に該当する面の互いに対向する側縁から夫々外方に向けて一体的に延出する一対の延出片１８ａ、１８ｂとを具備することを特徴としている。【選択図】  図１
2005076439.tif 000002
【特許請求の範囲】
【請求項１】
略直方体状に布状体から構成され、内部に土砂を収容可能な本体と、
この本体の上面に該当する面に、一側縁で一体的に連結され、これを略全面に渡り開放可能に設けられ、開放状態で前記土砂が内部に収容されると共に閉塞状態で前記土砂を内部に密閉するための上面片と、
この上面片を前記本体に対して開放可能に取り付ける取り付け手段と、
前記本体の下面に該当する面の互いに対向する側縁から夫々外方に向けて一体的に延出する一対の延出片と、
を具備することを特徴とする土嚢用箱。
【請求項２】
前記取り付け手段は、前記上面片の三方の側縁と、これらに対応する前記本体の二方の上縁との間を、開放可能に連結するファスナーであることを特徴とする請求項１に記載の土嚢用箱。
【請求項３】
前記取り付け手段は、
前記上面片の上に覆い被されるように、前記本体の互いに対向する一対の上縁から夫々内方に向けて一体的に延出する覆い片と、
両覆い片を互いに連結する紐部材とを備えることを特徴とする請求項１に記載の土嚢用箱。
【請求項４】
前記延出片は、両端が開放された箱状に形成されていて、内部を棒状又はパイプ状部材が貫通可能であることを特徴とする請求項１に記載の土嚢用箱。
【請求項５】
前記延出片は、その長手方向の中央部において、切断されて二分割されていることを特徴とする請求項１に記載の土嚢用箱。
【請求項６】
両延出片は、人手により把持可能であることを特徴とする請求項１に記載の土嚢用箱。
【請求項７】
各延出片のサイズは、前記本体の下面に該当する面のサイズを超えないように設定されていることを特徴とする請求項１に記載の土嚢用箱。
【請求項８】
前記各延出片のサイズは、前記本体の下面に該当する面のサイズの四半分を超えるように設定されていることを特徴とする請求項７に記載の土嚢用箱。
【請求項９】
前記本体を構成する各面には、該本体内に収容した土砂からの水分を、該本体外に排水するための排水手段が設けられていることを特徴とする請求項１に記載の土嚢用箱。
【請求項１０】
前記排水手段は、水分は透過し易く、土砂は透過し難いメッシュ材を備えることを特徴とする請求項９に記載の土嚢用箱。
【発明の詳細な説明】
【技術分野】
【０００１】  この発明は、例えば堤防決壊等の際に、決壊部分の補修用に用いられる土嚢用箱に関し、中に土砂を収納した状態で例えばピラミッド状に多数積み上げられて、積み上げられた状態で所定の構造上の強度を発揮するようになされた土嚢用箱に関する。
【背景技術】
【０００２】  従来より、例えば集中豪雨や台風等で堤防の決壊が発生したり、決壊の可能性が発生すると、その決壊部分を埋める（補修する）ために、土嚢を積み上げて用いることが良く行われている。この土嚢は、普通、麻袋に土砂を収容したものが用いられており、麻袋を構成する麻布の網目から、収容した土砂に含まれる水分が排出されるようになされていて、それなりに効果のあるものである。
【発明の開示】
【発明が解決しようとする課題】
【０００３】  しかしながら、上述した麻袋の場合には、中に土砂を収容した状態で、丸みのある外形を呈することとなり、そもそも、これを積み上げることに適した形状とはいえないものである。そのためもあって、これを保管するに際しては、中に土砂をいれずに、空の麻袋を畳んで積み上げ保管するようにしている。【０００４】  このため、災害時等に用いる際には、改めて、各麻袋内に土砂を入れ込む作業から開始しなければならず、補修のタイミングを逸する可能性もあり、改善が要望されている。【０００５】  また、中に土砂を収容した麻袋を持ち運ぶ際に、手がかりが無く、これを抱き込む形でしか持ち運ぶことが出来ず、この観点でも、改善が要望されている。【０００６】  この発明は、上述した事情に鑑みなされたもので、この発明の主たる目的は，中に土砂を入れ込んだ状態で、確実に積み上げることができる土嚢用箱を提供することである。【０００７】  また、この発明の他の目的は、中に土砂を収容した状態で、容易に持ち運びすることのできる土嚢用箱を提供する事である。
【課題を解決するための手段】
【０００８】  上述した課題を解決し、目的を達成するため、この発明に係わる土嚢用箱は、請求項１の記載によれば、略直方体状に布状体から構成され、内部に土砂を収容可能な箱本体と、この箱本体の上面に該当する面に、一側縁で一体的に連結され、これを略全面に渡り開放可能に設けられ、開放状態で前記土砂が内部に収容されると共に閉塞状態で土砂を内部に密閉するための上面片と、この上面片を前記箱本体に対して開放可能に取り付ける取り付け手段と、前記箱本体の下面片に該当する面の互いに対向する側縁から夫々外方に向けて一体的に延出する一対の延出片とを具備することを特徴としている。【０００９】  また、この発明に係わる土嚢用箱は、請求項２の記載によれば、前記取り付け手段は、前記上面片の三方の側縁と、これらに対応する前記箱本体の三方の上縁との間を、開放可能に連結するファスナーであることを特徴としている。【００１０】  また、この発明に係わる土嚢用箱は、請求項３の記載によれば、前記取り付け手段は、前記上面片の上に覆い被されるように、前記箱本体の互いに対向する一対の上縁から夫々内方に向けて一体的に延出する覆い片と、両覆い片を互いに連結する紐部材とを備えることを特徴としている。【００１１】  また、この発明に係わる土嚢用箱は、請求項４の記載によれば、前記延出片は、両端が開放された箱状に形成されていて、内部を棒状又はパイプ状部材が貫通可能であることを特徴としている。【００１２】  また、この発明に係わる土嚢用箱は、請求項５の記載によれば、前記延出片は、その長手方向の中央部において、切断されて二分割されていることを特徴としている。【００１３】  また、この発明に係わる土嚢用箱は、請求項６の記載によれば、両延出片は、人手により把持可能であることを特徴としている。【００１４】  また、この発明に係わる土嚢用箱は、請求項７の記載によれば、各延出片のサイズは、前記箱本体の下面片に該当する面のサイズを超えないように設定されていることを特徴としている。【００１５】  また、この発明に係わる土嚢用箱は、請求項８の記載によれば、前記各延出片のサイズは、前記箱本体の下面片に該当する面のサイズの四半分を超えるように設定されていることを特徴としている。【００１６】  また、この発明に係わる土嚢用箱は、請求項９の記載によれば、前記箱本体を構成する各面には、該箱本体内に収容した土砂からの水分を、該箱本体外に排水するための排水手段が設けられていることを特徴としている。【００１７】  また、この発明に係わる土嚢用箱は、請求項１０の記載によれば、前記排水手段は、水分は透過し易く、土砂は透過し難いメッシュ材を備えることを特徴としている。
【発明の効果】
【００１８】  この発明によれば、中に土砂を入れ込んだ状態で、確実に積み上げることができる土嚢用箱が提供されることになる。【００１９】  また、この発明によれば、中に土砂を収容した状態で、容易に持ち運びすることのできる土嚢用箱が提供されることになる。
【発明を実施するための最良の形態】
【００２０】  以下、この発明に係わる土嚢用箱の好適する実施例（第１の実施例）の構成を、添付図面を用いて、詳細に説明する。
【実施例１】
【００２１】  先ず、図１に閉塞状態の斜視図として、図２に開放状態の斜視図として、そして、図３にその展開図として示すように、この第１の実施例の土嚢用箱１０は、略直方体状に布状体から構成され、内部に土砂を収容可能であると共に上面が開放された布製の箱本体１２と、この箱本体１２の上面に、一側縁１４ａで一体的に連結され、これを略全面に渡り開放可能に設けられ、図２に示す開放状態で土砂が内部に収容されると共に、図１に示す閉塞状態で土砂を内部に密閉するための上面片１４と、この上面片１４を箱本体１２に対して開放可能に取り付ける取り付け手段としてのファスナー１６と、箱本体１２の下面片に該当する面の互いに対向する側縁から夫々外方に向けて一体的に延出する一対の延出片１８ａ、１８ｂとを備えて基本的に構成されている。【００２２】  ここで、上述した箱本体１２を構成する各面（両側面片２０，２２、両横面片２４、２６、及び、下面片２８）には、この箱本体１２内に収容した土砂からの水分を、箱本体１２外に排水するための排水手段としてのメッシュ材１８が設けられている。このメッシュ材１８は、水分は透過し易く、土砂は透過し難い材料から形成されている。尚、この排水手段は、上述したように５面の全てに形成されている必要は無く、少なくとも１面、例えば、下面片２８に形成されていれば良いものである。【００２３】  また、上述したファスナー１６は、上面片１４の連結縁である一方の側縁１４ａを除く三方の側縁１４ｂ、１４ｃ、１４ｄと、これらに対応する箱本体１２の三方の上縁２０ａ、２４ａ、２２ａとの間を、開放可能に連結するように構成されている。【００２４】  一方、上述した延出片１８ａ、１８ｂは、各々、両端が開放された箱状に形成されていて、内部を棒状又はパイプ状部材が貫通可能に設定されている。このように両延出片１８ａ、１８ｂは構成されているので、図４に示すように、両方の延出片１８ａ、１８ｂに夫々棒状又はパイプ部材３０を貫通させた状態で、２人の人手で、両棒状又はパイプ部材３０の各端部を把持することで、確実に、内部に土砂が充填された重い土嚢用箱１０を移動させることができることになる。【００２５】  また、図５に示すように、一方の延出片１８ａに、棒状又はパイプ部材３０を貫通された状態で、２人の人手で、棒状又はパイプ部材３０の両端部を夫々担ぐ、或いは、下げることにより、確実に、内部に土砂が充填された重い土嚢用箱１０を移動させることができることになる。尚、後述するように、このように内部に土砂が充填された重くなった土嚢用箱１０を持ち上げて移動するに際して、棒状又はパイプ部材３０を延出片１８ａ、１８ｂに貫通させて把持することに限定されること無く、両延出片１８ａ、１８ｂを直接、人の手により把持して、これを持ち上げて移動させることができることは、言うまでもない。【００２６】  ここで、各延出片１８ａ、１８ｂは、その長手方向の中央部において、切断線３２ａ、３２ｂにより、切断されて二分割されている。即ち、各延出片１８ａ、１８ｂは、対応する切断線３２ａ、３２ｂにより、分割延出片１８ａ１／１８ａ２：１８ｂ１／１８ｂ２に二分割されている。これにより、延出片１８ａ、１８ｂを人の手により把持するに際して、各延出片１８ａ、１８ｂの一方が相手側の持ち手により引っ張られて把持し難くなる状態が、効果的に防止されることになる。【００２７】  一方、上述した延出片１８ａ、１８ｂは、各々のサイズを、箱本体１２の下面片２８のサイズを超えないように設定されている。詳細には、各延出片１８ａ、１８ｂのサイズは、箱本体１２の下面片２８のサイズの四半分を超えるように設定されている。つまり、このように各延出片１８ａ、１８ｂのサイズを充分大きく設定することにより、延出片１８ａ、１８ｂは、人手により容易に把持可能な状態になされることになる。これにより、作業者は、この土嚢用箱１０内に土砂の収容された土嚢の両端としての一対の延出片１８ａ、１８ｂを、夫々、両手で掴んだで状態で、持ち運びすることができることとなり、その作業性が、従来の麻箱の中に土砂を収容させたものと比較して、格段と向上するものである。【００２８】  また、上述したように、ファスナー１６は、上述した箱本体１２の上面片１４の３辺の側縁１４ｂ、１４ｃ、１４ｄに沿うように取り付けられており、図２に示すように、ファスナー１６を開けることにより、箱本体１２の上面片１４に該当する面は、略全面に渡り開放されることとなり、このように開放された上面片１４に該当する面を介して、土砂が容易に箱本体１２内に収容され得ることとなる。【００２９】  また、中に土砂が収容された状態で、図１に示すように、ファスナー１６を閉じることにより、箱本体１２の上面片１４に該当する面が密閉され、箱本体１２内に収容された土砂が外にもれ出ることなく、安定的に収容状態を維持されることになる。また、このように中に土砂が目一杯収容された状態で、箱本体１２は、略直方体形状を呈することとなる。【００３０】  この結果、図６に示すように、中に土砂が収容された土嚢用箱１０は、ピラミッド状に積み上げることが可能であるし、また、図示していないが、直方体状に積み上げることも可能となる。このことは、３つの点で特筆すべき効果を招くことができるものである。即ち、先ず第１として、従前の麻袋からなる土嚢用箱では、ピラミッド状に積み上げると、その積み上げ状態が不安定となり好ましいものでなかったものが、この第１の実施例の土嚢用箱１０を用いることにより、ピラミッド状に積み上げたとしても、その積み上げ状態は平積みを繰り返したものとなり、安定的に維持することが出来、保管状態を良好に維持することができるものである。【００３１】  また、第２として、積み上げる際に、図７に示すように、一つの土嚢用箱１０Ｘの箱本体１２の下面片１４の周囲に側方に突出するように一体的に形成された２つの延出片１８ａ、１８ｂの一方の上に、隣接する土嚢用箱１０Ｙが重ねあげられて、その下の土嚢用箱１０Ｚ（最下段の場合には、床又は地面）との間で挟み込まれる状態となる。即ち、一の土嚢用箱１０Ｘは、その隣の土嚢用箱１０Ｙと、この土嚢用箱１０Ｙの下側の土嚢用箱１０Ｚとにより、その場に係止される状態となり、更に、積み上げ状態を安定的に維持されることになる。尚、一の土嚢用箱１０Ｘの２つの延出片１８ａ、１８ｂの他方は、隣接する土嚢用箱１０の邪魔にならないように跳ね上げられて、自身の側面片２２��密着する状態に立ち上げられた状態になされている。【００３２】  即ち、この第１の実施例の土嚢用箱１０に一体的に取り付けられている２つの延出片１８ａ、１８ｂは、持ち運ぶ際には、「把持片」として機能し、また、積み上げる際には、「係止片」として機能することとる。【００３３】  第３として、この第１の実施例の土嚢用箱１０を、例えば堤防の決壊個所の修復等の際に用いられる場合には、その決壊部分の形状が不定であり、任意の形状への対応性が必要となるが、この第１の実施例の土嚢用箱１０が呈している直方体形状は、決してリジッドなものではなく、かなりの融通性を持って、任意の形状への対応性を発揮することができるものであり、何ら問題はないものである。【００３４】  次に、上述した種々の特徴を有する土嚢用箱１０を形成するための方法を、図３に示す展開図を用いて以下に説明する。尚、図３において、破線は谷線を示し、一点鎖線は山線を示している。【００３５】  図３に示すように、この土嚢用箱１０の展開体は、下面片２８の図中右側に一体的に連接された一方の延出片１８ａと、下面片２８の図中左側に一体的に連接された他方の延出片１８ｂと、下面片２８の図中下側に一体的に連接された一方の横面片２４と、図中上側に一体的に連接された他方の横面片２６とを備えている。また、一方の延出片１８ａの図中右側には、一方の側面片２０が一体的に連接され、他方の延出片１８ｂの図中左側には、他方の側面片２２が一体的に連接されている。更に、他方の横面片２６の図中上側には、上面片１４が一体的に連接されている。【００３６】  尚、各側面片２０，２２の両端縁と、各横面片２４，２６の両端縁には、重ね縫い代２０ｘ／２０ｙ：２２ｘ／２２ｙ：２４ｘ／２４ｙ：２６ｘ／２６ｙが一体的に連接されている。そして、一方の側縁片２０の一方の重ね縫い代２０ｘと一方の横面片２４の他方の重ね縫い代２４ｙとが、互いに重ねあわされて、一体的に縫い付けられるように設定されている。また、一方の側縁片２０の他方の重ね縫い代２０ｙと他方の横面片２６の一方の重ね縫い代２６ｙとが、互いに重ねあわされて、一体的に縫い付けられるように設定されている。【００３７】  更に、他方の側縁片２２の他方の重ね縫い代２２ｙと一方の横面片２４の一方の重ね縫い代２４ｘとが、互いに重ねあわされて、一体的に縫い付けられるように設定されている。また、他方の側縁片２２の一方の重ね縫い代２２Ｘと他方の横面片２４の他方の重ね縫い代２４ｙとが、互いに重ねあわされて、一体的に縫い付けられるように設定されている。【００３８】  このようにして、両側縁片２０，２２と、両横面片２４、２６とは、重ね縫い代を介して、互いに重ねあわされた状態で縫い付けられるので、図１及び図２に示す土嚢用箱１０の箱本体１２は、極めて強固な状態で、形成されることになり、内部に土砂を充填させても、破れる虞はないものである。【００３９】  ここで、上述した縫い付け動作の前に、延出片１８ａ（１８ｂ）を、図示する山線に沿って折り曲げ、箱状の形態が達成されると共に、下面片２８及び側面片２０（２２）に対して一体的に連接する状態が達成されることになる。このようにして、各延出片１８ａ、１８ｂには、棒状又はパイ���部材３０が貫通可能となると共に、箱本体１２内部に土砂を目一杯充填した状態で、各把持片１８ａ、１８ｂを把持しても、これらが千切れる虞は無いものである。【００４０】  このように、この第１の実施例の土嚢用箱１０によれば、中に土砂を入れ込んだ状態で、確実に積み上げることができると共に、中に土砂を収容した状態で、容易に持ち運びすることができることになる。【００４１】  この発明は、上述した第１の実施例の構成に限定されること無く、この発明の要旨を逸脱しない範囲で種々変形可能であることは言うまでもない。
【実施例２】
【００４２】  例えば、上述した第１の実施例において、上面片１４を箱本体１２に対して開放可能に取り付ける取り付け手段として、ファスナー１６を用いるように説明したが、この発明は、このような構成に限定されること無く、図８及び図９に第２の実施例として示すように、上面片１４を覆う覆い片３４、３６を用い、これら覆い片３４、３６を紐部材３８を介して連結するように構成しても良いものである。【００４３】  以下に、図８の斜視図及び図９の展開図を参照して、第２の実施例に係わる土嚢用箱１０Ａの構成を説明する。尚、以下の説明において、上述した第１の実施例と同一部分には、同一符号を付して、その説明を省略する。【００４４】  この第２の実施例に係わる土嚢用袋１０Ａは、図９から明らかなように、一方の側面片２０の図中右側に一体的に連接された一方の覆い片３４と、他方の側面片２２の図中左側に一体的に連接された他方の覆い片３６とを備え、各覆い片３４、３６には、後述する紐部材３８が挿通される穴４０が複数形成されている。【００４５】  特に、この第２の実施例においては、各覆い片３４、３６は、中央で折り曲げられて重ねられるように設定されており、穴４０は、重ねられた状態で互いに連通するように、予め設定されている。【００４６】  このように第２の実施例に係わる土嚢用袋１０Ａは展開状態で構成されているので、図８に示すように、上述した第１の実施例と同様に箱状に構成され、更に、覆い片３４、３６を中央で折り曲げて重ねられた状態にした後、中に土砂が充填された状態で、先ず、上面片１４が土砂上に被せられ、次に、その上面片１４の上に、覆い片３４，３６が重ねられる状態で被される。そして、紐部材３８を穴４０に交互に挿通する状態で、両覆い片３４，３６を締め付ける。【００４７】  このようにして、この第２の実施例によれば、上述した第１の実施例と同様な効果を奏すると共に、本体１２の上面が紐部材３８を介して強固に閉塞されることとなり、中の土砂が漏れ出る虞が、効果的に防止されることになる。【００４８】  更に、上述した第２の実施例において、その一変形例として図１０に展開状態で示すように、土嚢用箱１０Ｂは、第２の実施例の構成に更に付加した状態で、一方の横面片２４の図中下側に一体的に連接された一方の第２の覆い片４２と、他方の横面片２６の図中上側に一体的に連接された他方の第２の覆い片４４とを備え、各第２の覆い片４２、４４には、上述した紐部材３８が挿通される穴４６が複数形成されている。【００４９】  このように第２の実施例の一変形例に係わる土嚢用箱１０Ｂを構成することにより、第２の実施例の場合と比較して、本体１２の上面は、更に、第２の覆い片４２、４４で覆われることになるので、中の土砂が漏れ出る虞が、確実に防止されることになる。【００５０】  尚、上述した一変形例において、図１０に想像線（二点鎖線）で示すように、上面片１４の図中上側に、更に、突込み片４８を設けることにより、上述の覆い効果を、更に高めることができるものである。【００５１】  更に、上述した第２の実施例において、他の変形例として図１１に展開状態で示すように、土嚢用箱１０Ｃは、図９に示す穴４０付きの覆い片３４，３６に替えて、ハーフ���ット状の覆い片５０，５２を用い、両覆い片５０，５２の互いに対向する側縁には、両者を連結するためのファスナー５４を設けるようにしても、上述した第２の実施例と同様の効果を相することができるものである。
【産業上の利用可能性】
【００５２】  以上詳述したように、例えば集中豪雨や台風等で堤防の決壊が発生したり、決壊の可能性が発生した場合に、その決壊部分を埋める（補修する）ために、この発明に係わる土嚢用箱を用いることができるものである。特に、中に土砂を収容した状態で、備蓄のために、この発明に係わる土嚢用袋を積み上げて保管することが可能となると共に、災害時等に用いる際には、改めて、各麻箱内に土砂を入れ込む作業をする必要が無く、補修のタイミングを逸する事も無いものであり、その利用性は計り知れない。また、中に土砂を充填した状態での持ち運び性が良く、非常に使い勝手の良いものである。
【図面の簡単な説明】
【００５３】
【図１】  この発明に係わる土嚢用箱の第１の実施例の構成を、上面片が閉塞された状態で示す斜視図である。
【図２】  この発明に係わる土嚢用箱の第１の実施例の構成を、上面片が開放された状態で示す斜視図である。
【図３】  図１及び図２に示す土嚢用箱を、展開状態で示す展開図である。
【図４】  両延出片に、夫々、棒状又はパイプ状部材を貫通させた状態で示す斜視図である。
【図５】  一方の延出片に、棒状又はパイプ状部材を貫通させた状態で示す斜視図である。
【図６】  中に土砂が収容された土嚢用箱をピラミッド状に積み上げた状態で示す正面図である。
【図７】  図６に示す土嚢用箱の積み上げ状態を詳細に示す正面図である。
【図８】  この発明に係わる土嚢用箱の他の実施例の構成を示す斜視図である。
【図９】  図８に示す土嚢用箱を、展開状態で示す展開図である。
【図１０】  図８に示す第２の実施例に係わる土嚢用箱の一変形例の構成を示す展開図である。
【図１１】  図８に示す第２の実施例に係わる土嚢用箱の他の変形例の構成を示す展開図である。
【符号の説明】
【００５４】１０    土嚢用箱（第１の実施例）
１０Ａ    土嚢用箱（第２の実施例）
１０Ｂ    土嚢用箱（第２の実施例の一変形例）
１０Ｃ    土嚢用箱（第２の実施例の他の変形例）
１２    箱本体
１４    上面片
１４ａ：１４ｂ：１４ｃ：１４ｄ  上面片１４の側縁
１６    ファスナー
１８ａ：１８ｂ    延出片
１８ａ１：１８ａ２：１８ｂ１：１８ｂ２    分割延出片
２０    側面片
２０ａ    側面片２０の上縁
２２    側縁
２２ａ    側面片２０の上縁
２４    横面片
２４ａ    横面片２４の上縁
２６    横面片
２８    下面片
３０    棒状又はパイプ部材
３２ａ：３２ｂ    切断線
３４    一方の覆い片（第２の実施例）
３６    他方の覆い片（第２の実施例）
３８    紐部材（第２の実施例）
４０    穴（第２の実施例）
４２    一方の第２の覆い片（一変形例）
４４    他方の第２の覆い片（一変形例）
４６    穴（一変形例）
４８    突込み片
５０    一方の覆い片（他の変形例）
５２    他方の覆い片（他の変形例）
５４    ファスナー（他の変形例）
【図１】
2005076439.tif 000003
【図２】
2005076439.tif 000004
【図３】
2005076439.tif 000005
【図４】
2005076439.tif 000006
【図５】
2005076439.tif 000007
【図６】
2005076439.tif 000008
【図７】
2005076439.tif 000009
【図８】
2005076439.tif 000010
【図９】
2005076439.tif 000011
【図１０】
2005076439.tif 000012
【図１１】
2005076439.tif 000013